(57)【要約】      （修正有）【課題】既存のロールペーパーホルダーをそのまま利用可能とし、旧型との交換の際に新たなゴミの発生を阻止できる上、新型のものと交換するよりも遙かに経済的で、誰にでも簡単に取り付けることができ、しかも即座に利用可能とすることができるロールペーパーホルダーを提供する。【解決手段】ロールペーパー用ホルダー４上蓋６の表面６３のカッター部７寄り適所に対し、その表面６３形状に適合して後付けで取着、一体化可能とする手段を施した摘み本体部２を設ける。また、該摘み本体部２の表がわ２２には、当該ロールペーパー用ホルダー４上蓋６のカッター部７がわ上下作動用とするようにした摘み部３を、上方がわに向けて突出形成してなるロールペーパーホルダー用後付け摘み具１を配して該ロールペーパーホルダーを構成する。【選択図】図３
0003164288.tif 000002
【実用新案登録請求の範囲】
【請求項１】
遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合して後付けで取着、一体化可能とする手段を施した摘み本体部を有し、該摘み本体部の表がわには、当該ロールペーパー用ホルダー上蓋のカッター部がわ上下作動用とするようにした摘み部を、上方がわに向けて突出形成してなるものとしたことを特徴とするロールペーパーホルダー用後付け摘み具。
【請求項２】
遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合して後付けで取着、一体化可能とする軟質粘着層と、同軟質粘着層を隠蔽する剥離紙とを設けた摘み本体部を有し、該摘み本体部の表がわには、当該ロールペーパー用ホルダー上蓋のカッター部がわ上下作動用とするようにした摘み部を、上方がわに向けて突出形成してなるものとしたことを特徴とするロールペーパーホルダー用後付け摘み具。                                                                                                    
【考案の詳細な説明】
【技術分野】
【０００１】
この考案は、ロールペーパー用の保持具類に関連するものであり、特にロールペーパーホルダー用の後付け部品類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                  
【背景技術】
【０００２】
（着目点）
一般的なロールペーパーホルダーは、建築物室内壁面などに木ネジなどで固定可能なホルダー本体に、ロールペーパーの筒状芯部分を水平状且つ回転自在に軸支可能な支軸部と、同支軸部に装着したロールペーパーの上がわを開閉自在に覆うよう、該ホルダー本体に基端が軸着した曲面板状体であって、その遊端縁に、引き出したロールペーパーの中途部分を裁断可能なカッター部を形成してなる上蓋とを有してなるものであり、利用の際には、該上蓋でロールペーパーの外周面を抑えながら、同上蓋のカッター部を境に、ロールペーパーの引き出した部分を引き上げるようにして裁断、切り離すこととなるが、こうした裁断後にホルダー本体がわに残されてしまうロールペーパーの切断端は、この上蓋の下がわに隠れてしまっているため、新たにロールペーパー端を引き出そうとする場合、必ず該上蓋のカッター部に手指を掛けて上方に持ち上げ、ロールペーパー端を引き出すようにする操作を必要とし、この操作は、触れると痛かったり、不用意に強く触れてしまうと思わぬ傷を負ってしまう虞のある、硬質で鋭利なカッター部に対する注意を必要とした。
【０００３】
（従来の技術）
こうした状況を憂慮し、例えば、下記の特許文献１（１）ないし（３）に提案されているものに代表されるように、上蓋のカッター部（遊端縁）寄りとなる表面に、フック類を突出状に一体化したものとし、直接カッター部に触れずに上蓋を開閉操作可能とするようにしてなるロールペーパーホルダーが散見される。
【０００４】
しかし、それら特許文献１（１）ないし（３）に示されているようなロールペーパーホルダーは、それら上蓋開閉用のフック類が一体型のものであり、既に建築物などに設置済みとなっている、フック類を持たない旧型のロールペーパーホルダーについては、必ずフック類を一体に有する新しいロールペーパーホルダーに交換しない限りは、前述のような直接カッター部に触れずに上蓋を開閉操作可能にするという効果を得ることができないばかりか、取り外したロールペーパーホルダーを廃棄またはリサイクル処理しなければならなくなってしまうという致命的な欠点があった。                                                                                          
【特許文献１】（１）特開２０００−２５４０３６号公報    （２）実開平７−４３３１８号公報    （３）実用新案登録第３１３６２１６号公報
【考案の開示】
【考案が解決しようとする課題】
【０００５】
（問題意識）
上述したとおり、従前までに提案のある各種フック類一体型としたロールペーパーホルダーなどは、何れも、新設する場合であれば支障なく利用できるものの、旧型のロールペーパーホルダーが既に設置されている場合には、まだ充分に使える筈のこの旧型のロールペーパーホルダーを取り外し、フック類一体形の新たなロールペーパーホルダーに交換せざるを得ないこととなり、設置の工数が嵩むだけでなく経済的負担も大きく、しかも撤去後に残る旧型のロールペーパーホルダーを適切に廃棄またはリサイクル処理しなければならないといった観点から、不具合を承知の上での使用が未だに続いてきている。
【０００６】
（考案の目的）
そこで、この考案は、既存のロールペーパーホルダーをそのまま利用可能とし、旧型との交換の際に新たなゴミの発生を阻止できる上、新型のものと交換するよりも遙かに経済的で、誰にでも簡単に取り付けることができ、しかも即座に利用可能とすることができる新たなロールペーパーホルダー技術の開発はできないものかとの判断から、逸速くその開発、研究に着手し、長期に渡る試行錯誤と幾多の試作、実験とを繰り返してきた結果、今回、遂に新規な構造のロールペーパーホルダー用後付け摘み具を実現化することに成功したものであり、以下では、図面に示すこの考案を代表する実施例と共に、その構成を詳述することとする。                                                                                                    
【課題を解決するための手段】
【０００７】
（考案の構成）
図面に示すこの考案を代表する実施例からも明確に理解されるように、この考案のロールペーパーホルダー用後付け摘み具は、基本的に次のような構成から成り立っている。
即ち、遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合して後付けで取着、一体化可能とする手段を施した摘み本体部を有し、該摘み本体部の表がわには、当該ロールペーパー用ホルダー上蓋のカッター部がわ上下作動用とするようにした摘み部を、上方がわに向けて突出形成してなるものとした構成を要旨とするロールペーパーホルダー用後付け摘み具である。
【０００８】
この基本的な構成からなるロールペーパーホルダー用後付け摘み具は、その表現を変えて示すならば、遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合して後付けで取着、一体化可能とする軟質粘着層と、同軟質粘着層を隠蔽する剥離紙とを設けた摘み本体部を有し、該摘み本体部の表がわには、当該ロールペーパー用ホルダー上蓋のカッター部がわ上下作動用とするようにした摘み部を、上方がわに向けて突出形成してなるものとした構成からなるロールペーパーホルダー用後付け摘み具とすることができる。                                                                        
【考案の効果】
【０００９】
以上のとおり、この考案のロールペーパーホルダー用後付け摘み具によれば、従前までのものとは違い、上記したとおりの固有の特徴ある構成から、住宅室内壁などに既に設置済みの旧型のロールペーパーホルダーに対し、誰でも簡単に取り付けて即座に利用することができ、上蓋のカッター部に触れることなく、その摘み部だけを掴み、同カッター部がわを上下動操作できるものとなり、上蓋下に隠れているロールペーパー切断端を引き出し易くしたり、上蓋のカッター部付近を下向きに抑えて展開状に引き出したロールペーパーの中途部分を簡単に切断できるようになって、旧型ロールペーパーホルダーの使い勝手を大幅に改善することができると共に、摘み部を一体成形した新型のロールペーパーホルダー自体の製造も必要なくなり、未だ設置していない旧型ロールペーパーホルダーにあっても、新設に際したときに、予めか現場においてかの何れかの段階に上蓋所定箇所に一体化しさえすれば目的を達成できるものとなることから、従来までであれば、交換で取り外した旧型ロールペーパーホルダーの適切なリサイクル処分が必要であったり、製造ラインまでも一新する必要のあったものが、それらの無駄を全く不要とし、自然環境にも優しく経済的にも遙かに秀れているという、従来までに得ることのできなかった大きな特徴が得られるものである。
【００１０】
加えて、摘み本体部に軟質粘着層と、同軟質粘着層を隠蔽する剥離紙とを設けてなるものにあっては、ロールペーパーホルダー用後付け摘み具をロールペーパーホルダー上蓋の表面に取り付ける直前まで当該軟質粘着層を剥離紙が隠蔽しているから、その取扱い性に秀れており、しかも、当該上蓋表面に装着するときに工具類を一切必要とせず、剥離紙を剥がすだけの取り扱いで、即座に上蓋表面の遊端縁寄りとなる適所へ誰でも簡単に接着、固定することができ、この軟質粘着層が、上蓋表面形状に柔軟に適合して密着し、強固に一体化するから、一体形商品と同等に恒久的利用が可能になるという秀れた効果を奏するものとなる。                                                                                                                    
【考案を実施するための最良の形態】
【００１１】
上記したとおりの構成からなるこの考案の実施に際し、その最良もしくは望ましい形態について説明を加えることにする。
摘み本体部は、装着対象となるロールペーパー用ホルダー上蓋の表面適所に、同ロールペーパーホルダー用後付け摘み具の摘み部を取着、一体化可能とする機能を担うものであり、摘み部を確りと支持して不用意な倒れやズレ動き、脱落などを確実に防止可能な強度で取着できるものとしなければならず、工具類を要して上蓋に貫通するようなリベットやネジなどによった取り付けではなく、上蓋の表面に接着、結合できるものとすべきであり、後述する実施例に示すように、上蓋表面の遊端縁寄り適所に対し、その表面形状に適合して後付けで取着、一体化可能とする軟質粘着層と、同軟質粘着層を隠蔽する剥離紙とを設けたものとするのが望ましいが、上蓋の遊端縁寄り適所の表面形状に適合して密着可能で、取着後に硬化、一体化するゲル状接着剤層と、同ゲル状接着剤層を密封状に隠蔽する密閉シートとを設けてなるようにしたものや、上蓋の遊端縁寄り適所の表面形状に適合して密着可能な面ファスナーと、摘み本体部の裏面（結合面）に貼着した面ファスナーとを互いのファスナー面同士が着脱可能且つ強固に結合可能としてなるものなどとすることが可能である。
【００１２】
摘み部は、当該ロールペーパーホルダー用後付け摘み具を装着後の、ロールペーパー用ホルダー上蓋の表面適所に、同上蓋のカッター部がわを上下作動操作用の突出部分を形成するものであり、該ロールペーパーホルダー用後付け摘み具装着済みのロールペーパー用ホルダー上蓋のカッター部がわを上下方向に開閉操作可能にすると共に、ロールペーパー用装着軸に装着してあるロールペーパーの外周面に、該上蓋裏面のカッター部がわを当接するよう押圧操作可能とし、しかも操作中、当該摘み本体部に対して不用意に倒れたり、ズレ動いたり、脱落したりしない程度の充分な強度を持つよう、強固に一体化したものとしなければならず、高い耐久性や軽量化、経済性などを考慮すると、後述する実施例に示すように、摘み本体部に一体化成型された合成樹脂製のものとするのが望ましく、触感や摩擦を高めたり、外観的質感を高めたりするよう、軟質ゴム製、軟質合成樹脂製、木製、金属製または強化ガラス製など、様々な素材製のものとすることができる。
以下では、図面に示すこの考案を代表する実施例と共に、その構造について詳述することとする。                                                                                                            
【実施例１】
【００１３】
図１のロールペーパーホルダー用後付け摘み具の斜視図、図２のロールペーパーホルダー用後付け摘み具の側面図、図３のロールペーパー用ホルダーに取り付ける後付け摘み具の斜視図、および、図４の後付け摘み具を装着したロールペーパー用ホルダーの斜視図に示す事例は、ロールペーパー用ホルダー４上蓋６の表面６３のカッター部７寄り適所に対し、その表面６３形状に適合して後付けで取着、一体化可能とする手段を施した摘み本体部２を有し、該摘み本体部２の表がわ２２には、当該ロールペーパー用ホルダー４上蓋６のカッター部７がわ上下作動用とするようにした摘み部３を、上方がわに向けて突出形成してなるものとした、この考案のロールペーパーホルダー用後付け摘み具における代表的な一実施例を示すものである。
【００１４】
それら各図からも明確に把握できるとおり、この考案のロールペーパーホルダー用後付け摘み具１は、ロールペーパー８用装着軸５と、その装着軸５の上方適所に基端６０を軸着し、遊端縁６１がロールペーパー８用のカッター部７を形成する上蓋６とを有するロールペーパー８用ホルダー４に対して装着可能としたものであって、その摘み本体部２および摘み部３は、図２および図３に示すように、互いに縦断面形_字形に一体化成型された硬質合成樹脂製のものであり、該摘み本体部２が、該上蓋６のロールペーパー８との接触がわである裏面６２とは反対がわに位置する表面６３の遊端縁６１（カッター部７）寄り適所に対し、接地可能な帯板状部分を形成し、その取着面（裏面）には、該上蓋６の遊端縁６１（カッター部７）寄り適所の表面形状に柔軟に適合して後付けで取着、一体化可能とする発泡合成樹脂製帯で両取着面に粘着剤膜を形成してなる軟質粘着層２０と、同軟質粘着層２０を隠蔽する剥離紙２１とを重ねて設けたものとし、さらに、当該摘み本体部２の表がわ２２の中央には、その帯板形状の長さ方向（装着後にロールペーパー用装着軸５に平行となる方向）に渡って、板帯状で先端縁を丸く面取りしてなる摘み部３を垂直状に立設一体化してなるものである。
【００１５】
（実施例１の作用・効果）
以上のとおりの構成からなるこの考案のロールペーパーホルダー用後付け摘み具１は、図１および図２に示すように、小型且つ軽量な部品商品として低廉にて店頭に陳列、販売可能なものであり、利用者が、当該ロールペーパーホルダー用後付け摘み具１を、既存の旧型ロールペーパーホルダー４に装着する場合には、図３中に示すように、装着対象となる上蓋６表面６３の遊端縁６１寄りであって、しかも左右巾寸法の中央適所の埃や汚れを除去した上、当該摘み本体部２の剥離紙２１を剥がして露出させた軟質粘着層２０を、同図３中の破線枠に示す位置に、合わせて強く押圧するようにして密着させると、図４に示すように、強固に一体化したものとなる。
【００１６】
このようにして上蓋６表面６３の適所に装着した当該ロールペーパーホルダー用後付け摘み具１は、軽量でロールペーパー用ホルダー４の上蓋６を開閉操作するのに負担とならず、摘み部３を掴んで上蓋６のカッター部７がわを上方に開き、ロールペーパー８の端部がわ（図示せず）を引き出してから、同カッター部７がロールペーパー８外周面に圧接するよう、該摘み部３を下向きに抑えるよう操作すれば、ロールペーパー８の図示しない引き出し端がわを簡単に切断することができるようになるという効果を奏する。
【００１７】
（結  び）
叙述の如く、この考案のロールペーパーホルダー用後付け摘み具は、その新規な構成によって所期の目的を遍く達成可能とするものであり、しかも製造も容易で、従前からのロールペーパー用ホルダー全体を交換せざるを得なかった技術に比較して、後付け部品のみを装着するだけで良く、取り付け作業が誰にでも簡単で、充分な強度を確保し、軽量且つ低廉化して遥かに経済的なものとすることができる上、旧型のロールペーパー用ホルダーをリサイクル処理する場合に比較して大幅に自然環境に優しいものとなり、使い勝手の良い新型のロールペーパーホルダーを低予算で設置したいと考える各企業や一般家庭はもとより、各種ロールペーパーホルダー類を供給する住宅設備業界やインテリア施工業界においても高く評価され、広範に渡って利用、普及していくものになると予想される。                                    
【図面の簡単な説明】
【００１８】
図面は、この考案のロールペーパーホルダー用後付け摘み具の技術的思想を具現化した代表的な幾つかの実施例を示すものである。
【図１】ロールペーパーホルダー用後付け摘み具を示す斜視図である。
【図２】後付け摘み具を示す側面図である。
【図３】ロールペーパー用ホルダーに装着する後付け摘み具を示す斜視図である。
【図４】ロールペーパー用ホルダーに装着した後付け摘み具を示す斜視図である。
【符号の説明】
【００１９】
１      ロールペーパーホルダー用後付け摘み具
２      摘み本体部
２０    同  軟質粘着層
２１    同  剥離紙
２２    同  表がわ
３      摘み部
４      ロールペーパー用ホルダー
５      ロールペーパー用装着軸
６      上蓋
６０    同  基端
６１    同  遊端縁
６２    同  裏面
６３    同  表面
７      カッター部
８      ロールペーパー                                                                                        
【図１】
0003164288.tif 000003
【図２】
0003164288.tif 000004
【図３】
0003164288.tif 000005
【図４】
0003164288.tif 000006
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合するようにした取着、一体化を可能とする摘み本体部を有し、該摘み本体部の表がわには、当該ロールペーパー用ホルダー上蓋のカッター部がわ上下作動操作用となる摘み部を、上方がわに向けて突出形成してなるものとしたことを特徴とするロールペーパーホルダー用後付け摘み具。
【請求項２】
遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合するようにした取着、一体化を可能とする軟質粘着層と、同軟質粘着層を隠蔽する剥離紙とを設けた摘み本体部を有し、該摘み本体部の表がわには、当該ロールペーパー用ホルダー上蓋のカッター部がわ上下作動操作用となる摘み部を、上方がわに向けて突出形成してなるものとしたことを特徴とするロールペーパーホルダー用後付け摘み具。
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合する取着構造に形成した摘み本体部を有し、該摘み本体部の表がわには、当該ロールペーパー用ホルダー上蓋のカッター部がわ上下作動操作用となる摘み部を、上方がわに向けて突出形成してなるものとしたことを特徴とするロールペーパーホルダー用後付け摘み具。
【請求項２】
遊端縁がカッター部を形成する上蓋の基端を、ロールペーパー用装着軸上がわに軸着して当該カッター部がわを上下方向回動自在にしてなるロールペーパー用ホルダーの、該上蓋のロールペーパーとの接触がわである裏面とは反対がわに位置する表面の遊端縁寄り適所に対し、その表面形状に適合する取着構造に形成した軟質粘着層と、同軟質粘着層を隠蔽する剥離紙とを設けた摘み本体部を有し、該摘み本体部の表がわには、当該ロールペーパー用ホルダー上蓋のカッター部がわ上下作動操作用となる摘み部を、上方がわに向けて突出形成してなるものとしたことを特徴とするロールペーパーホルダー用後付け摘み具。